(57)【要約】【課題】改装サッシに関して良好な遮炎性能が得られる技術を提供する。【解決手段】建物の開口部に設けられる既設サッシ２０を改装するための改装サッシに関する。改装サッシは、既設サッシ２０の内周側にて既設サッシ２０に取り付けられるサッシ本体４０と、既設サッシ２０とサッシ本体４０により囲まれて形成される中空部４１内に配置され、加熱により膨張する熱膨張性耐火材９０とを備えることを特徴とする。火災時に耐火材９０が膨張して中空部４１が少なくとも部分的に塞がれる。よって、その中空部４１を通しての火炎の浸入を防止でき、良好な遮炎性能を得られる。【選択図】図５
2015094171.tif 000002
【特許請求の範囲】
【請求項１】
建物の開口部に設けられる既設サッシを改装するための改装サッシであって、
前記既設サッシの内周側にて該既設サッシに取り付けられるサッシ本体と、
前記既設サッシと前記サッシ本体により囲まれて形成される中空部内に配置され、加熱により膨張する熱膨張性耐火材と、を備えることを特徴とする改装サッシ。
【請求項２】
前記熱膨張性耐火材は、加熱により膨張したときに前記中空部内を塞ぐように設けられることを特徴とする請求項１に記載の改装サッシ。
【請求項３】
前記熱膨張性耐火材は、加熱により膨張したときに前記中空部内と外部空間とを連通する連通路を塞ぐように設けられることを特徴とする請求項１に記載の改装サッシ。
【請求項４】
前記熱膨張性耐火材は、前記サッシ本体に装着されることを特徴とする請求項１から３のいずれかに記載の改装サッシ。
【請求項５】
前記熱膨張性耐火材は、加熱により膨張したときに前記サッシ本体のコーナー部にて前記中空部内を塞ぐように設けられることを特徴とする請求項１から４のいずれかに記載の改装サッシ。
【請求項６】
前記サッシ本体は、前記熱膨張性耐火材と係合してこれを保持する保持部を有することを特徴とする請求項１から５のいずれかに記載の改装サッシ。
【請求項７】
建物の開口部に設けられる既設サッシと、
前記既設サッシの内周側にて該既設サッシに取り付けられる改装サッシのサッシ本体と、
前記既設サッシと該サッシ本体により囲まれて形成される中空部内に配置され、加熱により膨張する熱膨張性耐火材と、を備えることを特徴とするサッシの改装構造。
【請求項８】
建物の開口部に設けられる既設サッシを改装するための方法であって、
前記既設サッシの内周側にて該既設サッシに改装サッシのサッシ本体を取り付けたとき、前記既設サッシと前記サッシ本体により囲まれて形成される中空部内に加熱により膨張する熱膨張性耐火材が配置されるように、前記既設サッシ又は前記サッシ本体に該熱膨張性耐火材を予め装着する工程と、
前記既設サッシに前記サッシ本体を取り付ける工程と、を含むことを特徴とするサッシの改装方法。
【発明の詳細な説明】
【技術分野】
【０００１】
本発明は、既設サッシを改装するための改装サッシ、これを用いたサッシの改装構造及び改装方法に関する。
【背景技術】
【０００２】
建物の窓部等の開口部には障子を納めるためのサッシが設けられる。サッシは建物への設置後、年数の経過に伴い老朽化する。この対策として、建物の躯体に固定された既設サッシを撤去し、その躯体に新しいサッシを固定する撤去工法が知られる。また、他の対策として、既設サッシをそのまま残し、その既設サッシに新しい改装サッシを取り付けるかぶせ工法が知られる（特許文献１参照）。これによれば、既設サッシの撤去が不要となるため、施工期間やコストが抑えられる。
【０００３】
この改装サッシは、通常、既設サッシに固定される下地材と、既設サッシの内周側にて下地材や既設サッシに固定される改装枠体とを含むサッシ本体を備える。サッシ本体は、既設サッシとの間に中空部が形成されており、その中空部を通しての外内への空気の漏洩を防止するため、既設サッシとの間の隙間が気密材により封止されている。
【先行技術文献】
【特許文献】
【０００４】
【特許文献１】特開２００７−１３８５６０号公報
【発明の概要】
【発明が解決しようとする課題】
【０００５】
火災時、改装サッシのサッシ本体が高温に晒されると、気密材が溶融して既設サッシとの間に隙間が生じ、その隙間から火炎が侵入して延焼の原因となりかねない。
【０００６】
本発明は、このような課題に鑑みてなされ、その目的は、改装サッシに関して良好な遮炎性能が得られる技術を提供する。
【課題を解決するための手段】
【０００７】
上述の課題を解決するために、本発明のある態様は、改装サッシに関する。改装サッシは、建物の開口部に設けられる既設サッシを改装するための改装サッシであって、既設サッシの内周側にて既設サッシに取り付けられるサッシ本体と、既設サッシとサッシ本体により囲まれて形成される中空部内に配置され、加熱により膨張する熱膨張性耐火材と、を備えることを特徴とする。この態様によれば、火災時に耐火材が膨張して中空部が少なくとも部分的に塞がれる。よって、その中空部を通しての火炎の侵入を防止でき、良好な遮炎性能を得られる。
【０００８】
また、前述の態様において、熱膨張性耐火材は、加熱により膨張したときに中空部内を塞ぐように設けられてもよい。この態様によれば、火災時に中空部内を通しての火炎の侵入を効果的に防止できる。
【０００９】
また、前述の態様において、熱膨張性耐火材は、加熱により膨張したときに中空部内と外部空間とを連通する連通路を塞ぐように設けられてもよい。この態様によれば、火災時に連通路を通しての火炎の侵入を効果的に防止できる。
【００１０】
また、前述の態様において、熱膨張性耐火材は、サッシ本体に装着されてもよい。この態様によれば、施工現場での耐火材の装着作業が不要となるため、施工性が良好となる。
【００１１】
また、前述の態様において、熱膨張性耐火材は、加熱により膨張したときにサッシ本体のコーナー部にて中空部内を塞ぐように設けられてもよい。この態様によれば、そのコーナー部の中空部内を通しての火炎の侵入を防止できる。
【００１２】
また、前述の態様において、サッシ本体は、熱膨張性耐火材と係合してこれを保持する保持部を有してもよい。この態様によれば、サッシ本体の保持部により耐火材を保持でき、長期間に亘り品質を確保できる。
【００１３】
また、本発明の別の態様は、サッシの改装構造に関する。サッシの改装構造は、建物の開口部に設けられる既設サッシと、既設サッシの内周側にて既設サッシに取り付けられる改装サッシのサッシ本体と、既設サッシとサッシ本体により囲まれて形成される中空部内に配置され、加熱により膨張する熱膨張性耐火材と、を備えることを特徴とする。この態様によれば、火災時に耐火材が膨張して中空部が少なくとも部分的に塞がれる。よって、その中空部を通しての火炎の侵入を防止でき、良好な遮炎性能を得られる。
【００１４】
また、本発明の別の態様は、サッシの改装方法に関する。サッシの改装方法は、建物の開口部に設けられる既設サッシを改装するための方法であって、既設サッシの内周側にて既設サッシに改装サッシのサッシ本体を取り付けたとき、既設サッシとサッシ本体により囲まれて形成される中空部内に加熱により膨張する熱膨張性耐火材が配置されるように、既設サッシ又はサッシ本体に熱膨張性耐火材を予め装着する工程と、既設サッシにサッシ本体を取り付ける工程とを含むことを特徴とする。この態様によれば、火災時に耐火材が膨張して中空部が少なくとも部分的に塞がれる。よって、その中空部を通しての火炎の侵入を防止でき、良好な遮炎性能を得られる。
【発明の効果】
【００１５】
本発明によれば、改装サッシに関して良好な遮炎性能を得られる。
【図面の簡単な説明】
【００１６】
【図１】第１実施形態に係るサッシの改装構造を室外側から見た正面図である。
【図２】第１実施形態に係る改装サッシを室外側から見た正面図である。
【図３】（ａ）は図２のＡ−Ａ線断面図であり、（ｂ）は図２のＢ−Ｂ線断面図である。
【図４】（ａ）は図２のＣ−Ｃ線断面図であり、（ｂ）は図２のＤ−Ｄ線断面図である。
【図５】図２のＥ−Ｅ線断面図である。
【図６】図１のＦ−Ｆ線断面図である。
【図７】図１のＧ−Ｇ線断面図である。
【図８】（ａ）は図３（ａ）の熱膨張性耐火材が膨張した状態を示す図であり、（ｂ）は図３（ｂ）の熱膨張性耐火材が膨張した状態を示す図である。
【図９】（ａ）は図４（ａ）の熱膨張性耐火材が膨張した状態を示す図であり、（ｂ）は図４（ｂ）の熱膨張性耐火材が膨張した状態を示す図である。
【図１０】改装サッシのコーナー部を背面下側から見た斜視図である。
【図１１】図５の熱膨張性耐火材が膨張した状態を示す図である。
【図１２】（ａ）は図２の左上のコーナー部の拡大図であり、（ｂ）は図２の左下のコーナー部の拡大図である。
【図１３】第２実施形態に係る改装サッシの下側辺部の構成を示す縦断面図である。
【図１４】第２実施形態に係る改装サッシの横側辺部の構成を示す横断面図である。
【発明を実施するための形態】
【００１７】
［第１の実施の形態］
図１は、第１実施形態に係るサッシの改装構造１０を室外側から見た正面図であり、図２は、第１実施形態に係る改装サッシ４０を室外側から見た正面図である。以下、便宜上、図示の状態を基準に各構成要素の位置関係を表現する場合がある。また、改装サッシ４０を室内側又は室外側から正面視したときの奥行方向を見込方向Ｘ、見込方向Ｘに直交する仮想面と平行な方向を見付方向Ｙとして説明する。
【００１８】
サッシの改装構造１０は、既設サッシ２０と、改装サッシ３０と、熱膨張性耐火材９０（以下、単に耐火材９０ともいう）を備える。
【００１９】
既設サッシ２０は、既設上枠２１（既設横枠）と、既設下枠２３（既設横枠）と、左右の既設縦枠２５を含み、これらを矩形状に枠組みして構成される。既設サッシ２０は、建物の開口部の内周側に周方向に沿って設けられる。既設サッシ２０は、建物の躯体１１にアンカー等を介して固定される。なお、既設サッシ２０の室内側には四周の側辺部に沿って既設額縁１３（図１、図２では図示せず）が設置される。
【００２０】
改装サッシ３０は、既設サッシ２０の内周側を覆うように、その内周側にて既設サッシ２０に取り付けられるサッシ本体４０を含む。サッシ本体４０には、引き違い障子として外障子と内障子（図示せず）が納められる。サッシ本体４０は、改装枠体５０と、複数の下地材７０を備える。改装枠体５０は、改装上枠５１（改装横枠）と、改装下枠５３（改装横枠）と、左右の改装縦枠５５を有し、これらを矩形状に枠組みして構成される。下地材７０は、上枠用下地材７１（横枠用下地材）と、下枠用下地材７３（横枠用下地材）と、左右の縦枠用下地材７５を含む。改装枠体５０は、複数の下地材７０を介して既設サッシ２０に取り付けられる。
【００２１】
改装上枠５１、改装下枠５３、改装縦枠５５、下地材７０は、アルミニウム等の金属材料を素材とした長尺体としての押出成形品等により形成される。改装上枠５１は、上枠用下地材７１より長手方向長さが長く形成される。改装上枠５１は、上枠用下地材７１より長手方向に長手方向両端部がはみ出てはみ出し部５１ａが設けられる。改装縦枠５５や改装下枠５３も同様に、縦枠用下地材７５や下枠用下地材７３より長手方向長さが長く形成される。改装縦枠５５は、縦枠用下地材７５より長手方向に長手方向両端部がはみ出てはみ出し部５５ａが設けられる。
【００２２】
図３（ａ）は図２のＡ−Ａ線断面図であり、図３（ｂ）は図２のＢ−Ｂ線断面図である。既設上枠２１には、見込方向Ｘに延びる既設枠側周壁部２７と、既設枠側周壁部２７から見付方向Ｙ内側に延びる複数の延出部２９とが形成される。延出部２９には、既設枠側周壁部２７の室内側部分に形成される室内側延出部２９Ａが含まれる。
【００２３】
上枠用下地材７１には、見込方向Ｘに延びる下地材側周壁部７７と、下地材側周壁部７７から見付方向Ｙに延びる複数の延出部７９とが形成される。延出部７９には、下地材側周壁部７７の室内側部分から見付方向Ｙ外側に延びる外周側下地材固定部７９Ａと、その室内側部分から見付方向Ｙ内側に延びる内周側下地材固定部７９Ｂとが含まれる。下地材側周壁部７７には、見付方向Ｙ外側に窪む凹部７７ａが形成される。凹部７７ａは上枠用下地材７１の長手方向に沿って延びる溝状に形成される。
【００２４】
下地材側周壁部７７は、凹部７７ａの内周側からビスＳｃ１（図２参照）がねじ込まれ、そのビスＳｃ１等により既設上枠２１の既設枠側周壁部２７に固定される。外周側下地材固定部７９Ａは、既設上枠２１の室内側延出部２９Ａの室内側からビスＳｃ２がねじ込まれ、そのビスＳｃ２等により室内側延出部２９Ａに固定される。
【００２５】
改装上枠５１には、見込方向Ｘに延びる改装枠側周壁部５７と、改装枠側周壁部５７から見付方向Ｙに延びる複数の延出部５９とが形成される。改装枠側周壁部５７は見込方向Ｘにかけて段状に形成される。延出部５９には、改装枠側周壁部５７の室内側部分から外周側に延びる改装枠固定部５９Ａと、改装枠側周壁部５７の室外側部分から外周側に延びる既設枠シール部５９Ｂとが含まれる。改装上枠５１は、はみ出し部５１ａと長手方向の他の部位とが同じ形状に形成される。
【００２６】
改装上枠５１は、その改装枠固定部５９Ａが上枠用下地材７１の内周側下地材固定部７９Ｂに室外側から係合される。改装枠固定部５９Ａは、その内周側下地材固定部７９Ｂの室内側からビスＳｃ３がねじ込まれ、そのビスＳｃ３等により内周側下地材固定部７９Ｂに固定される。改装枠側周壁部５７は、その室内側からビスＳｃ４（図２参照）がねじ込まれ、そのビスＳｃ４等により上枠用下地材７１の下地材側周壁部７７に固定される。
【００２７】
既設枠シール部５９Ｂは、その先端側が既設上枠２１の室外側面に曲げて形成される。既設枠シール部５９Ｂは、その先端部に気密材Ａｔ１が装着され、その気密材Ａｔ１は既設上枠２１の室外側面に当接される。この気密材Ａｔ１により改装上枠５１と既設上枠２１の間が室外側にて封止される。
【００２８】
図４（ａ）は図２のＣ−Ｃ線断面図であり、図４（ｂ）は図２のＤ−Ｄ線断面図である。既設縦枠２５、縦枠用下地材７５、改装縦枠５５は、それぞれ既設上枠２１、上枠用下地材７１、改装上枠５１と多くの構成が共通するため、共通する構成に同一の符号を付し、重複する説明を省略する。
【００２９】
改装縦枠５５のはみ出し部５５ａは、改装枠側周壁部５７から見付方向Ｙ内側に延びる延出部が形成されない。このはみ出し部５５ａの改装枠側周壁部５７には、その内周側から改装上枠５１や改装下枠５３の長手方向端部が当接され、ビス等により改装上枠５１や改装下枠５３に接続される。
【００３０】
図５は図２のＥ−Ｅ線断面図である。既設下枠２３は、室内側の既設枠固定部２３ａと、室外側の障子支持部２３ｂを備える。既設枠固定部２３ａは、既設額縁１３の上面や側面に係合される。障子支持部２３ｂには、見込方向Ｘに延びる既設枠側周壁部２７と、既設枠側周壁部２７から見付方向Ｙに延びる複数の延出部２９とが形成される。既設枠側周壁部２７は見込方向Ｘにかけて段状に形成される。延出部２９には、障子を案内する複数（図示は２つ）の障子レール部２９Ｃと、網戸を案内する網戸レール部２９Ｄとが含まれる。
【００３１】
下枠用下地材７３は、室内側の下地材固定部７３ａと、室外側の下地材側周壁部７７を備える。下地材固定部７３ａは、既設下枠２３の既設枠固定部２３ａの上面や側面に係合される。下地材固定部７３ａには、その上面部から室外側に突出する係合部７３ｂが形成される。下地材側周壁部７７は、下地材固定部７３ａの内周面より外周側にずれた位置に設けられ、見込方向Ｘに延びて形成される。下地材固定部７３ａは、その内周側からビスＳｃ５がねじ込まれて、そのビスＳｃ５等により既設下枠２３の既設枠固定部２３ａと既設額縁１３に固定される。
【００３２】
改装下枠５３は、見込方向Ｘに延びる改装枠側周壁部５７と、改装枠側周壁部５７から見付方向Ｙに延びる複数の延出部５９が形成される。改装枠側周壁部５７は見込方向Ｘにかけて段状に形成される。延出部５９には、室外側から室内側にかけて設けられる外障子レール部５９Ｃと、内障子レール部５９Ｄと、室外側延出部５９Ｅとが含まれる。外障子レール部５９Ｃは、外障子の戸車を支持して外障子を案内する。内障子レール部５９Ｄは、内障子の戸車を支持して内障子を案内する。
【００３３】
改装下枠５３には、改装枠側周壁部５７の室外側部分の見付方向Ｙ外側に傾斜して設けられるカバー部５３ａと、そのカバー部５３ａの下部の室内側にて見付方向Ｙ外側に延びる改装枠固定部５３ｂとが形成される。カバー部５３ａは既設下枠２３を室外側から覆う。
【００３４】
改装下枠５３は、その改装枠側周壁部５７に形成されるリブ状の複数の脚部５７ａを介して下枠用下地材７３の下地材側周壁部７７に載置される。また、改装下枠５３は、下枠用下地材７３の係合部７３ｂに室外側から室外側延出部５９Ｅの室内側面が係合される。改装枠側周壁部５７は、その内周側からビスＳｃ６がねじ込まれて、そのビスＳｃ６等により下枠用下地材７３の下地材側周壁部７７に固定される。改装枠固定部５３ｂは、その室外側からビスＳｃ７がねじ込まれて、そのビスＳｃ７等により既設下枠２３の室外側延出部２９Ｄに固定される。
【００３５】
下枠用下地材７３は、下地材側周壁部７７の下面に気密材Ａｔ２が装着され、その気密材Ａｔ２は既設下枠２３の既設枠固定部２３ａの室外側面に当接される。この気密材Ａｔ２により下枠用下地材７３と既設下枠２３の間が室内側にて封止される。また、下枠用下地材７３は、下地材側周壁部７７の上面に気密材Ａｔ３が装着され、その気密材Ａｔ３は改装下枠５３の室内側延出部５９Ｅの室内側面に当接される。この気密材Ａｔ３により下枠用下地材７３と改装下枠５３の間が室内側にて封止される。
【００３６】
改装枠体５０の室内側には、既設サッシ２０、サッシ本体４０の室内側部分を覆うように、サッシ本体４０の上側辺部、横側辺部に沿って新設額縁１９が嵌め込みにより取り付けられる。
【００３７】
図６は図１のＦ−Ｆ線断面図である。改装上枠５１の改装枠側周壁部５７と上枠用下地材７１の下地材側周壁部７７の間の隙間には板状の複数のスペーサー１５が介装される。図７は図１のＧ−Ｇ線断面図である。改装縦枠５５の改装枠側周壁部５７と縦枠用下地材７５の下地材側周壁部７７の間の隙間にも複数のスペーサー１５が介装される。スペーサー１５は、既設サッシ２０とサッシ本体４０の見付方向Ｙの間隔を保持し、サッシ本体４０を強固に固定するために用いられる。なお、既設サッシ２０とサッシ本体４０の隙間は、既設サッシ２０の寸法が現場によって変動し得るため、その寸法の変動に対応できるように予め設けられる。
【００３８】
上枠用下地材７１は、その内周側下地材固定部７９Ｂの長手方向中間部にスペーサー挿入孔８０が形成され、スペーサー１５は、そのスペーサー挿入孔８０を通して室内側から挿入される。この内周側下地材固定部７９Ｂには、そのスペーサー挿入孔８０を塞ぐ蓋部材１７（図１も参照）が当接される。蓋部材１７は、その室内側からビスＳｃ８がねじ込まれ、そのビスＳｃ８等により内周側下地材固定部７９Ｂと改装上枠５１の改装枠固定部５９Ａに固定される。縦枠用下地材７５の内周側下地材固定部７９Ｂにも同様にスペーサー挿入孔８０が形成される。
【００３９】
図３に戻り、既設サッシ２０とサッシ本体４０の間には中空部４１が設けられる。中空部４１は、既設サッシ２０とサッシ本体４０により囲まれて形成される。中空部４１は、室外側から室内側にかけて延びるように形成される。図２では、中空部４１の一部を画定する既設サッシ２０の既設枠側周壁部２７の内周面２７ａを二点鎖線で示す。中空部４１は、サッシ本体４０の四周の側辺部にて周方向に沿って延び、各側辺部の中空部４１がサッシ本体４０のコーナー部４０ａにて連続的につながり、全体として環状に形成される。
【００４０】
図３に戻り、サッシ本体４０の上側辺部の中空部４１は、既設上枠２１と改装上枠５１の間に形成され、上枠用下地材７１により見付方向Ｙに仕切られる。この中空部４１は、改装上枠５１と既設上枠２１の間を封止する気密材Ａｔ１によりその室外側が閉塞され、その室内側が新設額縁１９により閉塞される。
【００４１】
図４に戻り、サッシ本体４０の横側辺部の中空部４１は、既設縦枠２５と改装縦枠５５の間に形成され、縦枠用下地材７５により見付方向Ｙに仕切られる。この中空部４１は、改装縦枠５５と既設縦枠２５の間を封止する気密材Ａｔ１によりその室外側が閉塞される。
【００４２】
図５に戻り、サッシ本体４０の下側辺部の中空部４１は、既設下枠２３と改装下枠５３の間に形成され、室外側において、下枠用下地材７３により見込方向Ｘに仕切られる。この中空部４１は、ビス止めされる改装下枠５３の改装枠固定部５３ｂと既設下枠２３の室外側延出部２９Ｄとによりその室外側が閉塞される。この中空部４１は、改装下枠５３と下枠用下地材７３の間を封止する気密材Ａｔ３と、下枠用下地材７３と既設下枠２３の間を封止する気密材Ａｔ２によりその室内側が閉塞される。
【００４３】
改装下枠５３の改装枠側周壁部５７には上部水抜き孔５３ｃが形成される。上部水抜き孔５３ｃは、内障子より室外側にて改装下枠５３の上面に貯まる水を中空部４１内に導くために形成される。改装下枠５３の下部には下部水抜き孔５３ｄが形成される。下部水抜き孔５３ｄは、図２に示すように、改装下枠５３の長手方向に長い長孔として、改装下枠５３の長手方向に間隔を空けて複数（図示は３つ）形成される。下部水抜き孔５３ｄは、中空部４１内の水を外部空間に導くために形成される。
【００４４】
以上の既設サッシ２０と改装サッシ３０のサッシ本体４０は、火災時に高温に晒されると、気密材Ａｔ１〜Ａｔ３が溶融して隙間が生じたり、既設サッシ２０やサッシ本体４０の熱伸びによりビスＳｃ５、Ｓｃ７（図５参照）等により固定した箇所に隙間が生じる。このような隙間が生じると、外部空間と中空部４１内が連通されてしまい、その隙間から中空部４１内に火炎が侵入する恐れがある。また、火災時には下部水抜き孔５３ｄからも中空部４１内に火炎が侵入する恐れがある。
【００４５】
また、改装サッシ３０のサッシ本体４０は、その熱伸びによりコーナー部４０ａにて隙間が特に生じ易い。このコーナー部４０ａでは、サッシ本体４０の四周の側辺部の中空部４１が連続的につながることもあり、コーナー部４０ａの中空部４１内を通して火炎が広い範囲に侵入する恐れがある。また、本例では、例示しないが、サッシ本体４０のコーナー部４０ａにて樹脂製のコーナー部品を用いて改装縦枠５５と改装上枠５１、改装下枠５３を接続する場合がある（特開２０１２−１１７２３８号公報参照）。この場合も、コーナー部品が溶融して隙間が生じる恐れがある。
【００４６】
そこで、本実施形態に係る改装サッシ３０では、中空部４１内に熱膨張性耐火材９０を配置している。この耐火材９０は、加熱により膨張したとき、中空部４１内を見込方向Ｙに通過しようとする空気を遮断するように、換言すると、火災時に中空部４１内を見込方向Ｙに通過しようとする火炎の侵入経路を塞ぐように設けられる。このような条件を満たすように、耐火材９０は、その位置、大きさ、膨張率等の少なくとも何れかが調整されて設けられる。
【００４７】
この火炎の侵入経路としては、火災時に中空部４１内と外部空間とを連通する連通路がある。この連通路には、サッシ本体４０と既設サッシ２０の間を封止する気密材Ａｔの配置箇所や、サッシ本体４０と既設サッシ２０のビスＳｃ等による固定箇所が含まれる。これら連通路は、常温時には気密材Ａｔ、ビスＳｃ等により閉塞されるが、火災時には気密材Ａｔの溶融、サッシ本体４０の熱伸び等により隙間が生じる。また、この連通路には、改装下枠５３の下部水抜き孔５３ｄ等の予めサッシ本体４０に形成される孔部が含まれる。本実施形態に係る耐火材９０は、加熱により膨張したとき、この連通路を塞ぐように設けられる。
【００４８】
また、他の火炎の侵入経路としては、既設サッシ２０とサッシ本体４０の間の中空部４１内そのものがある。本実施形態に係る耐火材９０は、加熱により膨張したとき、この中空部４１内を少なくとも部分的に塞いでこれを見込方向Ｘに区画するように設けられる。以下、この詳細を説明する。
【００４９】
熱膨張性耐火材９０は、膨張性材料と耐火材料を少なくとも含有する。膨張性材料は、たとえば、熱膨張性黒鉛、ひる石等であり、耐火材料は、ロックウール、セラミック、珪酸カルシウム、グラスウール等の無機繊維材や、ブチルゴム等の樹脂材である。熱膨張性耐火材９０は、弾性を有するとともに、所定の温度（たとえば２００℃）を超えると膨張する特性を有する。熱膨張性耐火材９０は、このような特性を満たす公知の素材が用いられてよく、たとえば、積水化学工業株式会社の商品名「フィブロック（登録商標）」が用いられる。
【００５０】
本実施形態に係る耐火材９０は、改装枠体５０や下地材７０に接着剤を用いて接着により装着される。また、耐火材９０は、本実施形態において平板状に形成されるが、その形状はこれに限定されない。また、耐火材９０は、加熱により膨張するとき、主として、その厚さ方向に膨張し、厚さ方向にある他の物体に接触すると、そこから側方に広がるように膨張する傾向がある。耐火材９０により中空部４１の一部を塞ぐうえでは、このような傾向を考慮のうえ耐火材９０の位置、大きさ、膨張率等が調整される。
【００５１】
サッシ本体４０の上側辺部の耐火材９０には、図２、図３に示すように、上枠用下地材７１に装着される下地材側耐火材９０Ａと、改装下枠５３に装着される横枠側耐火材９０Ｂとが含まれる。下地材側耐火材９０Ａは、上枠用下地材７１の下地材側周壁部７７の外周面と、その下地材側周壁部７７の凹部７７ａの内周面とに装着される。上枠用下地材７１の内周側の下地材側耐火材９０Ａは、下地材側周壁部７７の凹部７７ａ内に収まるように配置される。
【００５２】
下地材側耐火材９０Ａは、図８（ａ）に示すように、加熱により膨張したとき、上枠用下地材７１の外周側、内周側の中空部４１内を見込方向Ｘに区画するように設けられる。このために、下地材側耐火材９０Ａは、上枠用下地材７１の下地材側周壁部７７の外周面、内周面のそれぞれに装着される。また、下地材側耐火材９０Ａは、図２に示すように、上枠用下地材７１の長手方向の略全長に亘る範囲に装着される。これにより、下地材側耐火材９０Ａは、加熱により膨張したとき、上枠用下地材７１の長手方向の全長に亘る範囲で中空部４１内を塞いで見込方向Ｘに区画する。
【００５３】
横枠側耐火材９０Ｂは、図２、図３に示すように、改装上枠５１の長手方向両側のはみ出し部５１ａに装着される。横枠側耐火材９０Ｂは、図８（ｂ）に示すように、加熱により膨張したとき、改装上枠５１と見付方向Ｙに対向する既設上枠２１との間の中空部４１内を塞いで見込方向Ｘに区画するように設けられる。また、横枠側耐火材９０Ｂと下地材側耐火材９０Ａは、加熱により膨張したとき、その改装上枠５１と既設上枠２１の間の中空部４１内で連続的につながるように設けられる。このため、下地材側耐火材９０Ａと横枠側耐火材９０Ｂは、見込方向Ｘの位置を合わせるように配置される。
【００５４】
サッシ本体４０の横側辺部の耐火材９０には、図２、図４に示すように、縦枠用下地材７５に装着される下地材側耐火材９０Ｃと、改装縦枠５５に装着される縦枠側耐火材９０Ｄとが含まれる。下地材側耐火材９０Ｃは、縦枠用下地材７５の下地材側周壁部７７の外周面と、その下地材側周壁部７７の凹部７７ａの内周面とに装着される。縦枠用下地材７５の内周側の下地材側耐火材９０Ｃは、下地材側周壁部７７の凹部７７ａ内に収まるように配置される。
【００５５】
下地材側耐火材９０Ｃは、図９（ａ）に示すように、加熱により膨張したとき、縦枠用下地材７５の外周側、内周側の中空部４１内を塞いで見込方向Ｘに区画するように設けられる。また、下地材側耐火材９０Ｃは、図２に示すように、縦枠用下地材７５の長手方向の略全長に亘る範囲に装着される。
【００５６】
図１０は、サッシ本体４０のコーナー部４０ａを背面下側からみた斜視図である。縦枠側耐火材９０Ｄは、図２、図４、図１０に示すように、改装縦枠５５の長手方向両側のはみ出し部５５ａに装着される。縦枠側耐火材９０Ｄは、図９（ｂ）に示すように、加熱により膨張したとき、改装縦枠５５と見付方向に対向する既設縦枠２５との間の中空部４１内を塞いで見込方向Ｘに区画するように設けられる。また、縦枠側耐火材９０Ｄと下地材側耐火材９０Ｃは、加熱により膨張したとき、その改装縦枠５５と既設縦枠２５の間の中空部４１内で連続的につながるように設けられる。
【００５７】
サッシ本体４０の下側辺部の耐火材９０には、図２、図５に示すように、下枠用下地材７３に装着される下地材側耐火材９０Ｅと、改装下枠５３に装着される横枠側耐火材９０Ｆとが含まれる。下地材側耐火材９０Ｅは、下枠用下地材７３の下地材側周壁部７７の外周面と、その下地材側周壁部７７の内周面とに装着される。
【００５８】
下地材側耐火材９０Ｅは、改装下枠５３と下枠用下地材７３の間を封止する気密材Ａｔ３の近傍と、既設下枠２３と下枠用下地材７３の間を封止する気密材Ａｔ２の近傍とに装着される。これは、図１１に示すように、火災時にこれら気密材Ａｔ２、Ａｔ３が溶融したときに形成される隙間としての連通路を下地材側耐火材９０Ｅにより塞ぐためである。なお、図示しないが、下地材側耐火材９０Ｅは、下枠用下地材７３の長手方向の略全長に亘る範囲に装着される。
【００５９】
図２、図５に戻り、横枠側耐火材９０Ｆは、改装下枠５３のカバー部５３ａの外周面に装着される。横枠側耐火材９０Ｆは、下部水抜き孔５３ｄより長手方向長さが長く形成され、下部水抜き孔５３ｄの長手方向の全長に亘る範囲で横方向位置が重なる位置に設けられる。これは、図１０に示すように、火災時に連通路となる下部水抜き孔５３ｄを横枠側耐火材９０Ｆにより塞ぐためである。
【００６０】
図１２（ａ）は図２の左上のコーナー部４０ａの拡大図であり、（ｂ）は左下のコーナー部４０ａの拡大図である。図１２（ａ）では、改装上枠５１の横枠側耐火材９０Ｂが膨張する範囲の一例を一点鎖線Ａ１で示し、改装縦枠５５の上側の縦枠側耐火材９０Ｄが膨張する範囲の一例を一点鎖線Ａ２で示す。また、図１２（ｂ）では、改装縦枠５５の下側の縦枠側耐火材９０Ｄが膨張する範囲の一例を一点鎖線Ａ３で示す。
【００６１】
サッシ本体４０の上側のコーナー部４０ａの近傍にある横枠側耐火材９０Ｂと縦枠側耐火材９０Ｄは、加熱により膨張したとき、そのコーナー部４０ａにて中空部４１内で連続的につながり、コーナー部４０ａの中空部４１内を塞いで見込方向Ｘに区画するように設けられる。図１２（ａ）では、一点鎖線Ａ１と一点鎖線Ａ２とが重なる範囲がこの連続的につながる範囲を示す。また、サッシ本体４０の下側のコーナー部４０ａの近傍にある縦枠側耐火材９０Ｄは、加熱により膨張したとき、そのコーナー部４０ａの中空部４１内を塞いで見込方向Ｘに区画するように設けられる。
【００６２】
以上の改装構造１０によれば、火災時に耐火材９０が膨張して中空部４１が少なくとも部分的に塞がれる。よって、その中空部４１を通しての火炎の侵入を防止でき、良好な遮炎性能を得られる。特に、本実施形態に係る耐火材９０は、中空部４１内を見込方向Ｘに通過しようとする空気を遮断するように加熱により膨張する。よって、火災時に中空部４１内を見込方向Ｘに通過しようとする火炎の侵入経路が塞がれ、室内側から室外側、またはその逆側への火炎の侵入を効果的に防止できる。
【００６３】
また、耐火材９０が改装サッシ３０のサッシ本体４０に装着されるため、耐火材９０を装着した状態でサッシ本体４０を現場に搬入でき、これらを別管理せずともよくなり、その資材管理を簡略化できる。また、施工現場での耐火材９０の装着作業が不要となるため、施工性が良好となるうえ、安定した施工品質を確保できる。
【００６４】
また、サッシ本体４０のコーナー部４０ａにて中空部４１内が耐火材９０により塞がれるため、そのコーナー部４０ａの中空部４１内を通しての火炎の侵入を防止できる。
【００６５】
また、下地材側耐火材９０Ａ、９０Ｃが上枠用下地材７１や縦枠用下地材７５の凹部７７ａ内に配置される。よって、下地材７０と改装枠体５０の間を膨張する耐火材により塞ぐうえで、下地材７０の下地材側周壁部７７と改装枠体５０の改装枠側周壁部５７との間に耐火材を装着しなくともよくなる。よって、これらの間の間隔を耐火材のために広くする必要がなくなり、その分、改装枠体５０の改装枠側周壁部５７内に形成される開口の見付方向寸法を広くできる。また、下地材７０の下地材側周壁部７７と改装枠体５０の改装枠側周壁部５７との間に耐火材を配置せずともよくなるため、その間に介装されるスペーサー１５と耐火材９０の干渉を防止しつつ、下地材７０と改装枠体５０の間に長手方向に連続的に耐火材を装着できる。
【００６６】
次に、本実施形態に係る改装サッシ３０を用いて既設サッシ２０を改装する改装方法の一例を説明する。
【００６７】
まず、既設サッシ２０に納められている既設障子を撤去する。既設サッシ２０に下地材７０をビス止めにより固定する。枠組みした改装枠体５０を既設サッシ２０の内周側に配置する。改装枠体５０は、その改装下枠５３を下枠用下地材７３の下地材側周壁部７７に載置する。このとき、改装上枠５１の室外側面と既設上枠２１の室内側面を挟み込むようにクランプにより仮固定する。この状態で改装下枠５３の改装枠側周壁部５７と下枠用下地材７３の下地材側周壁部７７をビス止めにより固定する。
【００６８】
この後、改装上枠５１と上枠用下地材７１の間にスペーサー挿入孔８０から複数のスペーサー１５を挿入し、これらの間隔が保持されるようにする。また、改装縦枠５５と縦枠用下地材７５の間にスペーサー挿入孔８０からスペーサー１５を挿入し、これらの間隔が保持されるようにする。改装上枠５１と既設上枠２１を挟み込むクランプを取り外し、改装上枠５１と上枠用下地材７１をビス止めにより固定するとともに、改装縦枠５５と縦枠用下地材７５をビス止めにより固定する。これにより、既設サッシ２０にサッシ本体４０が取り付けられる。この後、サッシ本体４０に新設額縁１９を嵌め込みにより取り付ける。
【００６９】
なお、以上の方法によれば、既設サッシ２０にサッシ本体４０を取り付けたとき、既設サッシ２０とサッシ本体４０の間の中空部４１内に耐火材９０が配置されることになる。この方法の他に、この中空部４１内に耐火材９０が配置されるように、サッシ本体４０ではなく既設サッシ２０に耐火材９０を予め装着してもよい。この既設サッシ２０への耐火材９０の装着箇所は、上述にて説明したサッシ本体４０への耐火材９０の装着箇所から見付方向Ｙにずれた位置としてもよい。
【００７０】
[第２の実施の形態]
図１３、図１４は、第２実施形態に係る改装サッシ３０を示す。以下、第１実施形態で説明した要素と同一の要素に同一の符号を付し、重複する説明を省略する。改装サッシ３０は、第１実施形態と比較して、下枠用下地材７３の構造や、耐火材９０の装着方法の点で主に相違する。
【００７１】
下枠用下地材７３には、室内側の第１下地材固定部７３ａ、下地材側周壁部７７の他に、下地材側周壁部７７の室外側部分から傾斜して設けられる斜面部７３ｃが形成される。また、下枠用下地材７３には、斜面部７３ｃの下部にて見付方向Ｙ外側に延びる第２下地材固定部７３ｄと、第２下地材固定部７３ｄより室外側にて見付方向Ｙ外側に延びる第３下地材固定部７３ｅとが形成される。これらは、既設下枠２３を室外側から覆う。
【００７２】
下枠用下地材７３は、その第２下地材固定部７３ｄが既設下枠２３の障子レール部２９Ｃに室外側から係合される。第２下地材固定部７３ｄは、その障子レール部２９Ｃに室外側からビスＳｃ８がねじ込まれ、そのビスＳｃ８等により障子レール部２９Ｃに固定される。改装下枠５３は、その改装枠固定部５３ｂが下枠用下地材７３の第３下地材固定部７３ｅに室外側から係合される。改装枠固定部５３ｂは、その第３下地材固定部７３ｅに室外側からビスＳｃ７がねじ込まれ、そのビスＳｃ７等により第３下地材固定部７３ｅに固定される。下枠用下地材７３は、第１下地材固定部７３ａの下面に気密材Ａｔ４が装着され、その気密材Ａｔ４は既設下枠２３の既設枠固定部２３ａの上面に当接される。この気密材Ａｔ４により下枠用下地材７３と既設下枠２３の間が室内側にて封止される。
【００７３】
下枠用下地材７３は、耐火材９０を保持する保持部４３を有する。保持部４３は、下枠用下地材７３の表面に間隔を空けて形成される一対の突起部４３ａを有する。一対の突起部４３ａには互いの開口が対向する一対の溝部が形成される。一対の溝部には板状の耐火材９０の両端部が差し込まれる。一対の溝部には長手方向から耐火材９０を抜き差し可能である。耐火材９０は、一対の突起部４３ａに係合して一対の溝部内に保持され、その保持部４３に脱着可能に装着される。なお、下枠用下地材７３以外の縦枠用下地材７５、上枠用下地材７１や、改装下枠５３等の改装枠体５０も同様に、耐火材９０を保持する保持部４３を有する。
【００７４】
サッシ本体４０の下側辺部の中空部４１は、既設下枠２３と改装下枠５３の間に形成され、下枠用下地材７３により見付方向Ｙに仕切られる。改装下枠５３と下枠用下地材７３の間の中空部４１は、ビス止めされる改装下枠５３の改装枠固定部５３ｂと下枠用下地材７３の第３下地材固定部７３ｅとによりその室外側が閉塞される。この中空部４１は、改装下枠５３と下枠用下地材７３の間を封止する気密材Ａｔ３によりその室内側が閉塞される。また、下枠用下地材７３と既設下枠２３の間中空部４１は、ビス止めされる下枠用下地材７３の第２下地材固定部７３ｄと既設下枠２３の障子レール部２９Ｃによりその室外側が閉塞される。この中空部４１は、下枠用下地材７３と既設下枠２３の間を封止する気密材Ａｔ４によりその室内側が閉塞される。
【００７５】
下枠用下地材７３の下地材側耐火材９０Ｅは、下枠用下地材７３の下地材側周壁部７７の外周面に装着される。この下地材側耐火材９０Ｅは、加熱により膨張したとき、下枠用下地材７３と見付方向Ｙに対向する既設下枠２３との間の中空部４１内を見込方向Ｘに区画するように設けられる。
【００７６】
また、下枠用下地材７３の下地材側耐火材９０Ｅは、第１下地材固定部７３ａの室外側面に装着される。この下地材側耐火材９０Ｅは、改装下枠５３と下枠用下地材７３の間を封止する気密材Ａｔ３の近傍に装着される。これは、火災時にこの気密材Ａｔ３が溶融したときに形成される隙間としての連通路を下地材側耐火材９０Ｅにより塞ぐためである。
【００７７】
以上の改装サッシ３０によれば、サッシ本体４０の保持部４３により耐火材９０を保持でき、たとえば、耐火材９０を接着剤により装着する場合よりも、長期間に亘り品質を確保できる。また、一対の溝部に抜き差しして耐火材９０を装着できるため、耐火材９０を容易、かつ、しっかりと装着できるうえ、容易に装着できることから生産性が向上する。
【００７８】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００７９】
上述の実施形態に係る改装サッシ４０は、引き違い障子を納める引き違い窓を構成するものを説明した。改装サッシ４０は、引き違い窓以外にも、滑り出し窓、倒し窓、突き出し窓等の開き窓に適用されてもよいし、ＦＩＸ窓に適用されてもよい。また、既設サッシ２０、改装サッシ４０は、図示の形状に限定されない。
【００８０】
上述の実施形態に係る耐火材９０は、サッシ本体４０の改装枠体５０、下地材７０の両方に装着される場合を例示したが、何れか一方にのみ装着されてもよい。また、上述の実施形態に係る耐火材９０は、加熱により膨張したとき、既設サッシ２０とサッシ本体４０の間の中空部４１内を塞いで、これを見込方向Ｘに区画するように、その位置等が調整された。この他にも、この中空部４１内の全体を塞ぐように、その位置等が調整されてもよい。
【００８１】
また、複数の耐火材９０は、加熱により膨張したとき、サッシ本体４０の四周の側辺部にて中空部４１内で周方向に沿って直線状に延び、サッシ本体４０のコーナー部４０ａにて連続的につながり、全体として環状に形成されるように設けられてもよい。
【００８２】
また、耐火材９０は、加熱により膨張したとき、中空部４１内を見込方向Ｙに通過しようとする可燃性ガスの侵入経路を塞ぐように設けられてもよい。この可燃性ガスとは、たとえば、一酸化炭素等である。
【符号の説明】
【００８３】
１０  改装構造、１１  躯体、１３  既設額縁、１５  スペーサー、１７  蓋部材、１９  新設額縁、２０  既設サッシ、２１  既設上枠、２３  既設下枠、２５  既設縦枠、２７  既設枠側周壁部、２７ａ  内周面、２９  延出部、３０  改装サッシ、４０  サッシ本体、４０ａ  コーナー部、４１  中空部、４３  保持部、４３ａ  突起部、５０  改装枠体、５１  改装上枠、５１ａ  はみ出し部、５３  改装下枠、５３ｄ  下部水抜き孔、５５  改装縦枠、５５ａ  はみ出し部、５９  延出部、７０  下地材、７１  上枠用下地材、７３  下枠用下地材、７５  縦枠用下地材、７７  下地材側周壁部、７７ａ  凹部、７９  延出部、８０  スペーサー挿入孔、９０  熱膨張性耐火材。
【図１】
2015094171.tif 000003
【図２】
2015094171.tif 000004
【図３】
2015094171.tif 000005
【図４】
2015094171.tif 000006
【図５】
2015094171.tif 000007
【図６】
2015094171.tif 000008
【図７】
2015094171.tif 000009
【図８】
2015094171.tif 000010
【図９】
2015094171.tif 000011
【図１０】
2015094171.tif 000012
【図１１】
2015094171.tif 000013
【図１２】
2015094171.tif 000014
【図１３】
2015094171.tif 000015
【図１４】
2015094171.tif 000016